(57)【要約】      （修正有）【課題】仮囲いにかかるコストを削減することができる連結部材を提供する。【解決手段】仮囲いに使用する仮囲い用連結部材１０であって、仮囲いの壁面を形成する仮囲い板２０と、仮囲い板２０を支持するための支持構造部３０と、仮囲い板２０と支持構造部３０を締結するための部材であって仮囲い板２０に形成された係合受部２２に係合する第１係合部４１と、支持構造部３０に係合する第２係合部４２とを備える締結具４０と、から構成される仮囲いに利用可能なものである。この仮囲い用連結部材１０は、締結具４０の第１係合部４１と係合可能な被係合部１３と、仮囲い板２０と共に壁面を形成可能な板材５０を取り付ける板材取付部１１と、を備える。そして、仮囲い用連結部材１０を板材５０に取り付けることで、板材５０を締結具４０により支持構造部３０に締結可能とし、板材５０を仮囲い板２０と共に壁面を形成するものとして利用可能とする。【選択図】図４
2016011488.tif 000002
【特許請求の範囲】
【請求項１】
仮囲いに使用する仮囲い用連結部材であって、
前記仮囲いは、
壁面を形成する仮囲い板と、
前記仮囲い板を支持するための支持構造部と、
前記仮囲い板と前記支持構造部を締結するための部材であって、前記仮囲い板に形成された係合受部に係合する第１係合部と、前記支持構造部に係合する第２係合部とを備える締結具と、から構成されるものであり、
前記仮囲い用連結部材は、
前記締結具の前記第１係合部と係合可能な被係合部と、
前記仮囲い板と共に前記壁面を形成可能な板材を取り付ける板材取付部と、を備え、
当該仮囲い用連結部材を前記板材に取り付けることで、当該板材を前記締結具により前記支持構造部に締結可能とし、当該板材を前記仮囲い板と共に前記壁面を形成するものとして利用可能とすることを特徴とする仮囲い用連結部材。
【請求項２】
前記被係合部を前記板材取付部の両側部に備え、
各被係合部は、他方の被係合部と対向する側から前記締結具の前記第１係合部を受け入れて係合する構造を有することを特徴とする請求項１に記載の仮囲い用連結部材。
【発明の詳細な説明】
【技術分野】
【０００１】
本発明は、仮囲いに使用する仮囲い用連結部材に関する。
【背景技術】
【０００２】
工事現場においては周囲に仮囲いを設置して外部と区画することで安全を確保するようにしている。また、仮囲いの設置個所によっては外部に面する部分に手すりや広告などの構造物を取り付けることもある。
【０００３】
このような仮囲いは工事期間中だけ借り受けて使用することが多いが、構造物の取り付けの際に取付用の穴を開けたり直接ねじ止めしたりすると、工事の終了後に返却できずに買い取りとなってしまうという問題があった。このような問題を解決するために、仮囲いに穴を開けることなく構造物を取り付けるための取付具が提案されている（例えば、特許文献１参照）。
【先行技術文献】
【特許文献】
【０００４】
【特許文献１】特開平１０−１０２７８７号公報
【発明の概要】
【発明が解決しようとする課題】
【０００５】
特許文献１の取付具は、仮囲い板の端部を挟むようにして固定するものであるが、このような方法では仮囲い板に傷がつく可能性がある。また、特許文献１には他の取付具として仮囲い板に予め設けられている貫通穴を利用するものも挙げられているが、近年では工事現場周囲の美観を考慮して表面を平滑にし、貫通穴を備えない仮囲い板が用いられることが多く、このような取付具を利用することができない。このため、新たな手法により借り受けた仮囲い板の損傷を防ぎ、コストを削減することが必要である。
【０００６】
本発明の目的は、仮囲いにかかるコストを削減することである。
【課題を解決するための手段】
【０００７】
以上の課題を解決するため、請求項１に記載の発明は、
仮囲いに使用する仮囲い用連結部材であって、
前記仮囲いは、
壁面を形成する仮囲い板と、
前記仮囲い板を支持するための支持構造部と、
前記仮囲い板と前記支持構造部を締結するための部材であって、前記仮囲い板に形成された係合受部に係合する第１係合部と、前記支持構造部に係合する第２係合部とを備える締結具と、から構成されるものであり、
前記仮囲い用連結部材は、
前記締結具の前記第１係合部と係合可能な被係合部と、
前記仮囲い板と共に前記壁面を形成可能な板材を取り付ける板材取付部と、を備え、
当該仮囲い用連結部材を前記板材に取り付けることで、当該板材を前記締結具により前記支持構造部に締結可能とし、当該板材を前記仮囲い板と共に前記壁面を形成するものとして利用可能とすることを特徴とする仮囲い用連結部材。
【０００８】
請求項１に記載の発明によれば、仮囲い板とは別の板材を仮囲いの一部として利用することができ、構造物の取り付けを板材に対して行うことで仮囲い板の損傷を防止できるので、仮囲いにかかるコストを削減することができる。
【０００９】
請求項２に記載の発明は、請求項１に記載の仮囲い用連結部材であって、
前記被係合部を前記板材取付部の両側部に備え、
各被係合部は、他方の被係合部と対向する側から前記締結具の前記第１係合部を受け入れて係合する構造を有することを特徴とする。
【００１０】
請求項２に記載の発明によれば、仮囲い用連結部材の設置範囲内で締結具の脱着を行うことができ、少ない範囲で作業を行うことができる。
また、二つの被係合部における係合方向が逆向きとなるので、板材に係るあらゆる方向の力に対応できるようになる。
【発明の効果】
【００１１】
本発明によれば、仮囲いを利用する際のコストを削減することができる。
【図面の簡単な説明】
【００１２】
【図１】仮囲い用連結部材を示す図であって、（ａ）正面図、（ｂ）端面から見た図である。
【図２】仮囲い用連結部材を取り付けた板材を示す図である。
【図３】仮囲い用連結部材を取り付けた板材を用いた仮囲いを示す図である。
【図４】仮囲い用連結部材を取り付けた板材を用いた仮囲いにおける仮囲い用連結部材が配された部分を示す断面図である。
【図５】仮囲い用連結部材を取り付けた板材を用いた仮囲いにおける仮囲い用連結部材が配された部分を示す図である。
【図６】仮囲い用連結部材を取り付けた板材を用いた仮囲いを階段に配設した状態を示す図である。
【図７】第１変形例の仮囲い用連結部材を示す図であって板材に取り付けた状態の断面図である。
【図８】第２変形例の仮囲い用連結部材を示す図であって板材に取り付けた状態の断面図である。
【図９】第３変形例の仮囲い用連結部材を示す図であって板材に取り付けた状態の断面図である。
【図１０】第４変形例の仮囲い用連結部材を示す図であって板材に取り付けた状態の断面図である。
【図１１】第５変形例の仮囲い用連結部材を示す図であって板材に取り付けた状態の断面図である。
【図１２】第６変形例の仮囲い用連結部材の正面図である。
【図１３】仮囲いの裏面側の構成を示す斜視図である。
【発明を実施するための形態】
【００１３】
以下、この発明の実施形態について図面を参照して説明する。
本発明の仮囲い用連結部材１０は、図１３に示すように仮囲い１の壁面を形成する仮囲い板２０と、仮囲い板２０を支持するための支持構造部３０と、仮囲い板２０と支持構造部３０を締結する締結具４０とから構成される仮囲い１に用いられるものである。
【００１４】
支持構造部３０は単管３１を組み合わせることで構成され、仮囲い板２０を支持する骨組をなすものである。
仮囲い板２０は、仮囲い１の壁面を形成する矩形板状の壁面部２１と、壁面部２１の両側端から一方の板面側に、板面に対して垂直に延出するように形成された板状の係合受部２２とを有する。
図４に示すように係合受部２２の延出方向先端部は、対向する係合受部２２側に延出するように屈曲している。この屈曲部分の屈曲角度は鋭角であって先端が壁面部２１を向くようになっている。
【００１５】
図１３に示すように締結具４０は、仮囲い板２０と支持構造部３０を締結するための部材であって、図４、図５に示すように単管３１の外周に沿って配設可能な円弧状に形成された円弧部と、円弧部の両端からそれぞれ延出した平行な２つの延出部とを備える略Ｕ字形をしている。
この締結具４０は、仮囲い板２０に形成された係合受部２２に係合する第１係合部４１と、支持構造部３０の単管３１に係合する第２係合部４２とを備える。
【００１６】
両延出部の先端には、仮囲い板２０に形成された係合受部２２に係合する第１係合部４１が形成されている。
この第１係合部４１は、平行な両延出部に沿う平面の一側へ係合受部２２と同じ形状で屈曲した形状となっており、両延出部の第１係合部４１が同時に係合受部２２と係合できるようになっている。
【００１７】
また、Ｕ字形の締結具４０における円弧部と両延出部に囲まれた部分は、支持構造部３０の単管３１に係合する第２係合部４２をなす。
この第２係合部４２は、支持構造部３０において仮囲い板２０の並列方向に沿って配される単管３１に対して、両延出部の延出方向と単管３１の延在方向とが略直交するような向きで、両延出部の間に単管３１を通すように締結具４０を配することで、円弧部と両延出部とで単管３１を周方向に沿って抱え込んで係合するようになっている。
【００１８】
また円弧部の中央には、延出部の延出方向に沿って円弧部を貫通する貫通穴が形成されている。
この貫通穴にはめねじが形成され、ここに締付用ボルト４３が螺合されており、締付用ボルト４３を単管３１の方向に締め付けることで単管３１と仮囲い板２０が近接し、第１係合部４１と係合受部２２との係合が解除できないようになって支持構造部３０と仮囲い板２０が締結されることとなる。
【００１９】
このような仮囲い１に用いられる本発明の仮囲い用連結部材１０は、図２に示すように任意の板材５０の裏面に取り付けることで、当該板材５０を締結具４０によって仮囲い板２０と同様に支持構造部３０に締結できるようにし、図３に示すように板材５０を仮囲い板２０と共に仮囲い１の壁面を構成するものとして利用できるようにするものである。
【００２０】
図１に示すように仮囲い用連結部材１０は、仮囲い１の壁面を形成する板材５０を取り付ける板材取付部１１と、該板材取付部１１の両側端に形成された被係合部１３とを備える。
板材取付部１１は矩形板状であり、その板面に対して垂直に貫通する貫通穴１２が複数形成されている。この貫通穴１２は、仮囲い用連結部材１０を板材５０に固定するためのねじを挿通する部分をなす。
【００２１】
被係合部１３は、板材取付部１１の両端から一方の板面側に、板面に対して垂直に延出するように形成された部分である。
この被係合部１３は、仮囲い板２０の係合受部２２と同じ形状をしており、被係合部１３の延出方向先端部は対向する被係合部１３側へ延出するように屈曲しており、先端は板材取付部１１側に向くようになっている。
【００２２】
この被係合部１３には締結具４０の第１係合部４１が係合可能であり、これにより板材５０を支持構造部３０に固定できるようになっている。
被係合部１３が延在する長さは、締結具４０における両延出部の間隔よりも数倍広く、締結具４０との係合位置をこの範囲で自由に設定できるようになっている。
また、対向する被係合部１３の間隔は、両方の被係合部１３に締結具４０を係合しても締結具４０どうしが干渉しないような幅とされている。
【００２３】
なお、被係合部１３の形状は上述したものに限られるものではなく、仮囲い板２０における係合受部２２の形状に応じて適宜変更可能であり、仮囲い板２０と仮囲い用連結部材１０とで締結具４０を共通して利用できる形状であればよい。
また、仮囲い用連結部材１０は、金属や硬質なプラスチックなど容易に変形しない硬質な材料により形成されており、板材５０の取り付けや締結具４０の係合に耐えうるものとなっている。
【００２４】
図２に示すように、この仮囲い用連結部材１０を取り付ける板材５０には仮囲い用連結部材１０を嵌め込むことができる凹部５１が形成されている。ここでは板材５０の上部、中央部及び下部の３ヶ所に凹部５１が形成されている。
この凹部５１に対して、板材取付部１１の被係合部１３が延出していない側の面と、凹部５１の底面とが対向する向きで、板材５０の長手方向と被係合部１３の延在方向とが平行となるように仮囲い用連結部材１０を嵌め込み、貫通穴１２に挿通したねじにより板材５０に対して仮囲い用連結部材１０を固定する。
【００２５】
なお、板材５０の長さ（高さ）や幅（横幅）、厚みは任意に設定可能であるが、長さは仮囲い板２０の長さと同じとすることで、仮囲い板２０と高さがそろった壁面を構成できるので美観上好ましい。
また、幅は少なくとも仮囲い用連結部材１０の幅より広いことが必要である。
さらに厚みは、図３に示すように仮囲い１の壁面に手すり６１や広告６２等の構造物６０をねじや釘により固定するのに十分な厚みであることが好ましい。
ただし、構造物６０の固定方法として、板材５０に貫通穴を形成してボルトとナットにより締結する方法や、接着剤による接着、粘着テープによる固定など他の方法を用いることができ、この場合には板材５０の厚みを薄くすることも可能である。
【００２６】
また、板材５０に形成する凹部５１の深さは、板材５０の厚みに応じて設定し、支持構造部３０と締結した際に、板材５０の表面と仮囲い板２０の表面とが一平面をなすようにすることが美観上好ましいが、任意に設定可能である。
特に板材５０の厚みが薄い場合は、凹部５１を深くすると凹部５１の底面と表面との間の厚みが薄くなり過ぎ、仮囲い用連結部材１０を固定するねじが表面に貫通してしまうので、その点を考慮して凹部５１の深さを設定することが好ましい。
また、凹部５１の高さや幅を、仮囲い用連結部材１０がちょうど収まる大きさとすることで、凹部５１の内周面によっても仮囲い用連結部材１０の上下左右への移動を規制することができ、板材取付部１１におけるねじによる固定を補助することができる。
【００２７】
また、板材５０の材質としては、木材、プラスチック、金属など様々な材質のものを用いることができる。木材の種類としてはスギ、ヒノキ、ヒバなど様々な種類を用いることができ、耐火性能が要求される屋内での使用の場合には、耐火塗料を塗布することにより対応することができる。
板材５０の材質としてプラスチックや金属を用いる場合には薄板を用いることが想定されるが、この場合には凹部５１を形成せずに、仮囲い用連結部材１０を裏面に直接取り付けるようにすることが好ましい。
この際に、ねじによる固定では表面にねじが貫通してしまうので、溶接や接着など他の方法を用いるようにしても良い。
【００２８】
以上のように仮囲い用連結部材１０を取り付けた板材５０は、図３に示すように仮囲い板２０と共に壁面を形成するように並べて支持構造部３０に締結する。
図４、図５には、仮囲い用連結部材１０を取り付けた板材５０の支持構造部３０との締結部分を示した。ここでは仮囲い用連結部材１０を取り付けた板材５０の両側に仮囲い板２０が配置されている例を示している。
上述したように仮囲い板２０の締結は、係合受部２２が形成された面が支持構造部３０と対向するように配置し、締結具４０を第１係合部４１が係合受部２２と係合するように係合させるとともに第２係合部４２が単管３１と係合するように取り付け、締付用ボルト４３を締め付けることにより行う。
【００２９】
仮囲い用連結部材１０を取り付けた板材５０を支持構造部３０に締結する際には、まず、仮囲い用連結部材１０を取り付けた面が支持構造部３０と対向するように配置する。
そして、２つの被係合部１３のそれぞれにおいて、締結具４０を第１係合部４１が被係合部１３と係合するように係合させるとともに第２係合部４２が単管３１と係合するように取り付け、締付用ボルト４３を締め付ける。
【００３０】
その後、このようにして設置した仮囲い１の表面側に、図３に示すような手すり６１や広告６２などの構造物６０を取り付ける。
手すり６１や広告６２を壁面に取り付ける際には、板材５０の部分にそれぞれの取付部６３が位置するように配して取り付けを行う。
例えば、手すり６１は取付部６３をねじにより板材５０に固定することや、板材５０に貫通穴を形成してボルトとナットにより取付部６３を締結することで取り付ける。
また、広告６２は、板材５０にねじにより固定したフックに対し、広告６２の裏面に設けた取付部６３を引っ掛けることや、板材５０と取付部６３とを接着したり、両面粘着テープにより固定したりすることにより取り付ける。
これにより、仮囲い板２０を損傷させることなく構造物６０を設置することが可能となる。
【００３１】
工事の終了後は仮囲い１を取り壊して借り受けた部材は返却することとなるが、構造物６０の取り付けは板材５０に対して行っているので仮囲い板２０は損傷しておらず、借り受けた仮囲い板２０は全て返却可能である。
これにより、仮囲い板２０を買い取りする必要がなくなり、工事のコストを削減することが可能となる。
また、自身が保有する仮囲い板２０の場合であっても、仮囲い板２０の損傷を防止することで、他の工事に流用した際に美観を損ねないようにすることができる。
【００３２】
仮囲い用連結部材１０を取り付けた板材５０は、他の工事現場に設置する仮囲い１に再度用いることが可能であり、無駄となることはない。
再利用はそのままでも可能であるが、構造物６０を取り付けた際にできた傷をパテで埋めて再利用するようにしても良い。
【００３３】
他の工事現場に使用する予定がない場合や、構造物の取り付けなどによる損傷が激しい場合は廃棄することも考えられるが、板材５０は仮囲い板２０に比べて安価であるため、仮囲い板２０の買い取りに比べてコストを抑えることができる。
また、仮囲い用連結部材１０は板材５０から取り外して再利用することが可能であり、収納スペースもそれほど必要ではないため板材５０のみを廃棄すればよく、コストを抑えることができる。
【００３４】
図６には階段部分に仮囲い１を設置する場合を示した。
この場合には手すり６１の他、仮囲い１の下部と階段７０の段差部分を塞ぐ腰板６４を配する必要がある。
この場合にも腰板６４を板材５０に対してねじ６５により固定するようにすることで、仮囲い板２０を損傷することなく取り付けることができる。
【００３５】
以下に上述した仮囲い用連結部材１０の変形例について説明する。なお、基本的には、上述の実施形態の仮囲い用連結部材１０と同様の構成を有しており、同様の構成を有する部分については同じ符号を付して説明を省略し、主に異なる部分について説明する。なお、以下の各変形例の構成は適宜組み合わせて適用することも可能である。
【００３６】
〔第１変形例〕
図７には第１変形例を示した。本変形例の仮囲い用連結部材１０は、板材取付部１１の端部が、二つの被係合部１３の間の空間を向くように斜めに形成され、この斜めに形成された部分に板材５０と締結するためのねじを挿通する貫通穴１２が形成されている。
これにより、板材５０の厚さ方向に対して斜めにねじが螺合されることとなるので、板材５０にねじが螺合する長さを十分にとることができ、仮囲い用連結部材１０をより強固に固定できるようになる。
なお、図１に示した仮囲い用連結部材１０において板材取付部１１に対して垂直に延出した部分に貫通穴１２を設けることでも同様の効果を得られる。ただし、ねじを螺合する作業を容易にするため、被係合部１３の間隔は十分に広くしておくことが好ましい。
【００３７】
〔第２変形例〕
図８には第２変形例を示した。本変形例の仮囲い用連結部材１０は、板材取付部１１の中央部分が被係合部１３の延出方向に突出した形状となっている。
この仮囲い用連結部材１０を板材５０に取り付ける際には、矩形状の凹部５１に替えて、被係合部１３が形成された部分の形状に合わせた２本の溝状の凹部５１を設ける。
このような仮囲い用連結部材１０とすることで、仮囲い用連結部材１０を板材５０に固定するねじが螺合する長さを十分にとることができ、仮囲い用連結部材１０をより強固に固定できるようになる。
【００３８】
〔第３変形例〕
図９には第３変形例を示した。本変形例の仮囲い用連結部材１０は、被係合部１３の外側に延出する鍔状の板材取付部１１を備えている。
これにより、第２変形例と同様に仮囲い用連結部材１０を板材５０に固定するねじが螺合する長さを十分にとることができ、仮囲い用連結部材１０をより強固に固定できるようになる。
【００３９】
〔第４変形例〕
図１０には第４変形例を示した。本変形例の仮囲い用連結部材１０は、図１に示した仮囲い用連結部材１０を板材取付部１１の幅方向の中央で被係合部１３の延在方向に沿う直線に沿って分割した形状となっている。
この仮囲い用連結部材１０を、板材５０の幅方向に離間して２つ取り付けるようにすることで、板材５０の幅が広い場合であっても支持構造部３０により安定して板材５０が保持されるようになる。
【００４０】
〔第５変形例〕
図１１には第５変形例を示した。本変形例の仮囲い用連結部材１０は、第３変形例と第４変形例の構成を組み合わせた構成であって、長方形板状の部材を長手方向に沿った屈曲部１４で屈曲し、屈曲部１４を境として一方を板材取付部１１とし、他方を被係合部１３とした構成となっている。
このようにすることでも図１０の仮囲い用連結部材１０と同様に、板材５０の幅が広い場合であっても支持構造部３０により安定して板材５０が保持されるようになる。
【００４１】
また、図９の仮囲い用連結部材１０と同様に、板材取付部１１が凹部５１の外側に位置するため、仮囲い用連結部材１０を板材５０に固定するねじが螺合する長さを十分にとることができ、仮囲い用連結部材１０をより強固に固定できるようになる。
さらに、仮囲い用連結部材１０をより簡単な構成とすることができ、製造のコストを低減することができる。
なお、図１１に示すように一つの凹部５１に対して一の仮囲い用連結部材１０を配するようにしても良いし、図１に示したような一つの凹部５１の両端にそれぞれ仮囲い用連結部材１０を取り付けるようにしても良い。
【００４２】
〔第６変形例〕
図１２には第６変形例を示した。本変形例の仮囲い用連結部材１０は、中央の屈曲部１５を中心として板状の板材取付部１１に平行な面内で屈曲し、全体が「く」の字状となっている。
屈曲部１５の屈曲角度は、当該屈曲部１５から一方向に延出する第１延出部１６を鉛直に配した際に、屈曲部１５から他方向に延出する第２延出部１７が、鉛直方向に対して階段の平均的な傾斜角度だけ傾斜するような角度となっている。
【００４３】
このような仮囲い用連結部材１０は、第１延出部１６が板材５０の長さ方向に沿うように取り付ける。これにより第２延出部１７は板材５０の長さ方向に対して傾斜して配される。
これにより、平地に仮囲い１を設置する場合は、板材５０の長さ方向に沿うように配した第１延出部１６の被係合部１３に締結具４０の第１係合部４１を係合することで、支持構造部３０における水平に配した単管３１に締結することが可能となる。
また、階段に仮囲い１を設置する場合は、板材５０の長さ方向に対して傾斜するように配される第２延出部１７の被係合部１３に締結具４０の第１係合部４１を係合することで、支持構造部３０における階段の傾斜方向に沿って配した単管３１に締結することが可能となる。
【００４４】
なお、屈曲部１５の屈曲角度を変更できるように構成してもよい。このようにした仮囲い用連結部材１０を板材５０に取り付ける際には、第１延出部１６は板材５０の長さ方向に沿った状態で固定されるようにし、第２延出部１７を屈曲部１５を中心として動作して任意の位置で固定できるようにする。なお、板材５０に形成する凹部５１は第２延出部１７の可動範囲にわたって形成するようにする。
【符号の説明】
【００４５】
１  仮囲い
１０  仮囲い用連結部材
１１  板材取付部
１３  被係合部
２０  仮囲い板
２２  係合受部
３０  支持構造部
４０  締結具
４１  第１係合部
４２  第２係合部
【図１】
2016011488.tif 000003
【図２】
2016011488.tif 000004
【図３】
2016011488.tif 000005
【図４】
2016011488.tif 000006
【図５】
2016011488.tif 000007
【図６】
2016011488.tif 000008
【図７】
2016011488.tif 000009
【図８】
2016011488.tif 000010
【図９】
2016011488.tif 000011
【図１０】
2016011488.tif 000012
【図１１】
2016011488.tif 000013
【図１２】
2016011488.tif 000014
【図１３】
2016011488.tif 000015